(57)【要約】【課題】箱の天面にタブを設けた箱であって、タブの内容をより視認し易くした箱及びその箱の陳列方法を提供する。【解決手段】吊り下げ具が箱の天面に設けられ、かつ収容物を識別するタブが該箱の天面から上方に突出した箱において、該タブが、透明又は半透明の弾性を有する合成樹脂製のフィルムで構成され、かつ箱の背面部又は正面部の幅の１／３乃至全部にわたって設けられ、該タブの識別部が収容物の種類に応じた所定の位置に配置されてなる箱及びその陳列方法である。【選択図】図１
2008081145.tif 000002
【特許請求の範囲】
【請求項１】
吊り下げ具が箱の天面に設けられ、かつ収容物を識別するタブが該箱の天面から上方に突出した箱において、該タブが、透明又は半透明の弾性を有する合成樹脂製のフィルムで構成され、かつ箱の背面部又は正面部の幅の１／３乃至全部にわたって設けられ、該タブの識別部が収容物の種類に応じた所定の位置に配置されてなる箱。
【請求項２】
前記タブが、箱の背面部又は正面部に貼り付けられたものである請求項１に記載の箱。
【請求項３】
吊り下げ具が鉤状部を有し、該鉤状部の下端の高さがタブの高さより低いものである請求項１又は２に記載の箱。
【請求項４】
タブが、箱の正面から見たときに、鉤状部と重なるものである請求項３に記載の箱。
【請求項５】
箱の天面が少なくとも６辺以上を有するとともに、箱の背面部又は正面部の幅が箱の最大幅より狭いものである請求項１〜４のいずれかに記載の箱。
【請求項６】
タブがバージンシールを兼ねるものである請求項２〜５のいずれかに記載の箱。
【請求項７】
箱の天面に設けられた吊り下げ具を陳列棒に架けることにより、複数の箱を前後方向に重ねて配列する箱の陳列方法であって、該箱の天面から上方に突出して設けられたタブの収容物を識別する識別部が収容物の種類に応じた所定の位置に配置された箱を配列して、全ての箱の該識別部の位置が、前置される単数又は複数の他の箱を介在して、陳列棒の前から一覧して視認され得る箱の陳列方法。
【請求項８】
タブが、透明又は半透明の弾性を有する合成樹脂製のフィルムで構成され、かつ箱の背面部又は正面部の幅の１／３乃至全部にわたって設けられている請求項７に記載の箱の陳列方法。
【請求項９】
タブが、箱の背面部又は正面部に貼り付けられている請求項７又は８に記載の箱の陳列方法。
【請求項１０】
吊り下げ具が鉤状部を有し、該鉤状部の下端の高さがタブの高さより低い請求項７〜９のいずれかに記載の箱の陳列方法。
【発明の詳細な説明】
【技術分野】
【０００１】
本発明は、陳列棒等に吊り下げる箱に関する。
【背景技術】
【０００２】
スーパーマーケット等の小売店で陳列棒に多数の商品をぶら下げて陳列販売することは広く行なわれており、種類の異なる物品、例えばサイズの異なるショーツを1本の陳列棒に吊り下げることもしばしば見られるところである。
このように、種類の異なる物品を1本の陳列棒に吊り下げると、後の商品は前方の商品の影になるため、例えば箱の正面に種類を区別する表示がされていたとき、顧客は種類を容易に認識することが出来ないという問題がある。
この問題を解決するため、特許文献１記載のようにタブを商品の上部の吊り下げ具の近傍に設けるということは古くから行なわれている。
しかし、特許文献１にあるように、商品の種類毎にタブの位置を変えると、箱の一部としてタブが設置されている通常の場合は、商品の種類の数だけの箱の種類を準備する必要があり、煩雑であった。また、タブを手作業で異なる位置に正確に貼ることも困難であった。さらに、箱を陳列棒に架けようとしたり、あるいは陳列棒から外そうとすると、タブが邪魔になるので、位置や大きさに制限があり、タブが小さすぎてその記載事項が読みにくいといった問題もあった。
一方、タブを大きくして、必要充分な情報を適切な大きさで表示するには特許文献２にあるように、横に設けることも考えられるが、陳列の際、隣接する商品の陰になったりして読みにくいこともあるので、上方にあるのが好ましい。
また、特許文献３には、タブを用いず、包装体に識別具を備え、その識別具の両面に複数の識別子が付されており、識別具を折り曲げて元の形態と異なる形態にしたときに、特定の識別子を認識できるように識別表示する発明が提案されている。この発明では、箱の種類は１種類でよいが、箱が特殊なものになるので高価となり、経済的ではなかった。
【０００３】
【特許文献１】特開２００４−１７９９８号公報
【特許文献２】特開２００２−２１１６３９号公報
【特許文献３】特開２００６−１６０３３８号公報
【発明の開示】
【発明が解決しようとする課題】
【０００４】
本発明は、箱の天面にタブを設けた箱であって、タブの内容をより視認し易くした箱及びその箱の陳列方法を提供することを課題とする。さらに視認性に加えて、陳列棒に吊り下がった箱を横から取り出そうとするとき又は横から陳列棒に架けようとするときに、タブが陳列又は取り出し作業の邪魔になりにくい構成の箱及びその箱の陳列方法を提供することを課題とする。
【課題を解決するための手段】
【０００５】
本発明は、吊り下げ具が箱の天面に設けられ、かつ収容物を識別するタブが該箱の天面から上方に突出した箱において、該タブが、透明又は半透明の弾性を有する合成樹脂製のフィルムで構成され、かつ箱の背面部又は正面部の幅の１／３乃至全部にわたって設けられ、該タブの識別部が収容物の種類に応じた所定の位置に配置されてなる箱を提供し、箱の天面に設けられた吊り下げ具を陳列棒に架けることにより、複数の箱を前後方向に重ねて配列する箱の陳列方法であって、該箱の天面から上方に突出して設けられたタブの収容物を識別する識別部が収容物の種類に応じた所定の位置に配置された箱を配列して、全ての箱の該識別部の位置が、前置される単数又は複数の他の箱を介在して、陳列棒の前から一覧して視認され得る箱の陳列方法を提供するものである。
【発明の効果】
【０００６】
本発明により、箱の天面にタブを設けた箱であって、タブの内容をより視認し易くした箱及びその箱の陳列方法を提供することができる。さらに視認性に加えて、陳列棒に吊り下がった箱を横から取り出そうとするとき又は横から陳列棒に架けようとするときに、タブに吊り下げ用の陳列棒が接触してもタブが容易に折れ曲がるなどし、かつ復帰して起立することができるので、タブが陳列又は取り出し作業の邪魔になりにくい構成の箱及びその箱の陳列方法を提供することができる。
【発明を実施するための最良の形態】
【０００７】
本発明の箱の実施態様について、図面を参照して説明する。図１は、本発明の箱の一実施態様を示す斜視模式図であり、図２及び３は、それぞれ本発明の箱の別の実施態様を示す斜視部分図であり、図４は、本発明の箱１を上から見た平面模式図である。
本発明の箱１は、箱本体２と、吊り下げ具３と、タブ４とからなる。
図１に示す箱本体２は、紙又は合成樹脂で作られた箱であって、正面部２Ａ、背面部２Ｂ（図示しない）及び側面部２Ｃを有し、図４の平面模式図から明らかなように全体が６角柱状をしている。そして、その天面に吊り下げ具３を取り付けるための穴２Ｄが開口している。吊り下げ具３は、箱本体２の内側から天面の穴２Ｄを介して上方に突出している。吊り下げ具３は鉤状部３Ａを有し、陳列棒６に箱１を吊り下げるようにフック状をなすことが好ましい。吊り下げ具３が環状部（図示しない）を有していてもよいが、鉤状部３Ａを有すると、陳列棒６の先端部６Ａ経由で箱１を出し入れするばかりでなく、陳列棒６に吊り下がった箱１を横から取り出すこと及び横から陳列棒６に箱１を架けることができるので、環状部を有する場合より利便性が高い。
吊り下げ具３は穴２Ｄへ従来から行なわれている方法、例えば穴２Ｄの周囲に適宜設けた舌片を吊り下げ具３に設けた切込みに挟む方法、吊り下げ具３を天面の裏で粘着テープを用いて貼る方法等で取り付けられる。
【０００８】
本発明の箱１に用いられるタブ４は、箱本体２の天面から上方に突出している。図１においては、タブ４の一部が、箱本体２の背面部２Ｂ（図示しない）に貼り付けられているが、正面部２Ａに貼り付けられていてもよい。箱本体２が合成樹脂で作られている場合は、箱本体２の一部が突出してタブ４を形成してもよいが、後述するように、タブ４は貼り付けられて固定されたほうが他の機能を兼ねることが可能となるばかりでなく、箱１の構造が簡単となり組み立てやすく経済性も高いので好ましい。
タブ４は透明又は半透明の弾性を有する合成樹脂製のフィルムで構成され、重力に抗して自立することが出来る程度の剛性を有している。さらに、吊り下げ用の陳列棒６に接触することで撓み、外力が除かれると再び自立する弾性を備えている。タブ４が透明又は半透明のフィルムで構成されていると、陳列棒６に吊り下げられた後ろの箱１のタブ４の識別部４１を、前の透明又は半透明のタブ４を通して視認できる。タブ４は、無色でなく、着色されていても、透明又は半透明であって、数枚、好ましくは数十枚重ねても反対側を透視できればよい。
また、タブ４は箱本体２の背面部又は正面部から上方に突出し、その背面部又は正面部の幅の１／３乃至全部にわたって設けられる。タブ４の幅が背面部又は正面部の１／３以上の幅で広く設けることでタブ４に設けられた後述する識別部４１の視認性を高めるが、タブ４は合成樹脂製で可撓性の材質であるから、陳列棒６に吊り下げ具３を架ける際にタブ４が障害になったりタブ４が破損することを防止している。また、タブ４の幅をある程度広げることによって後述する識別部４１の位置を変える際の選択範囲が広がるので好ましい。
【０００９】
本発明に係るタブ４の識別部４１は収容物の種類に応じた所定の位置に配置される。これにより、識別部４１が配置された位置を視認すれば、収容物の種類がわかるので、消費者が陳列棒の前から一覧して、商品の名称、サイズ等をすぐに確認でき商品を購入し易くなると共に、小売店の在庫管理も容易となる。例えば、図１においては、識別部４１ａは、箱本体２の背面部２Ｂから突出したタブ４の右端にあり、陳列棒の前から一覧して、「Ｌ」というＬａｒｇｅサイズ表示を識別部４１ａの位置からも容易に視認できる。図２においては、識別部４１ｂは、箱本体２の背面部２Ｂから突出したタブ４の左端にあり、陳列棒の前から一覧して、「Ｓ」というＳｍａｌｌサイズ表示を識別部４１ｂの位置からも容易に視認できる。図３においては、識別部４１ｃは、箱本体２の背面部２Ｂから突出したタブ４の中央部にあり、陳列棒の前から一覧して、「Ｍ」というＭｉｄｄｌｅサイズ表示を識別部４１ｃの位置からも容易に視認できる。これらの識別部４１には、上述のサイズ表示以外に、収容物の色を示すために、赤い場合は赤を、白い場合は白を、文字の背景として印刷してもよいし、用途等の表示のため記号や文字を印刷してもよい。
【００１０】
図５は、タブ４の起立部４Ａの最大の高さｈｆが高い別の実施態様を示す斜視模式図であり、図６及び７は、それぞれ高さｈｆが高い別の実施態様を示す正面模式図及び背面模式図である。
本発明の箱１においては、タブ４の箱本体２の天面から上方に突出した部分である起立部４Ａの最大の高さｈｆが高い場合では、本発明の効果をさらに享受し得る。
図５〜７において、箱本体２では、タブ４の一部が背面部２Ｂに貼り付けられていて、貼付部４Ｂ（図５及び６では図示せず、図７で図示している）を構成している。そして、箱本体２の幅方向における吊り下げ具３の幅領域（概ね中央領域）において、タブ４の高さｈを低くする凹部４Ｄを形成することによって陳列時にタブ４が陳列棒６に接触しないように構成している。ここで、タブ４の凹部４Ｄの上端にテーパー又は曲線を形成すると、タブ４の凹部４Ｄの両側において高さｈｆが吊り下げ具３の鉤状部３Ａの下端よりも高い場合であっても鉤状部３Ａを陳列棒６に架け易く、タブ４の撓みも最小限にすることができる。
図５において、識別部４１ｄは、箱本体２の背面部２Ｂから突出したタブ４の右側中央部にあり、陳列棒の前から一覧して、「Ｍ」というＭｉｄｄｌｅサイズ表示を識別部４１ｄの位置からも容易に視認できる。図６においては、識別部４１ｅは、箱本体２の背面部２Ｂから突出したタブ４の左端にあり、陳列棒の前から一覧して、「Ｓ」というＳｍａｌｌサイズ表示を識別部４１ｅの位置からも容易に視認できる。図７においては、識別部４１ｆは、箱本体２の背面部２Ｂから突出したタブ４の、正面から見て右端にあり、陳列棒の前から一覧して、「Ｌ」というＬａｒｇｅサイズ表示を識別部４１ｆの位置からも容易に視認できる。
さらに、図５〜７では、起立部４Ａの最大の高さｈｆが高いので、識別部４１ｄ〜ｆは箱本体２の天面から離れた高い位置に設けることが可能となり、より視認性が向上している。また、起立部４Ａの最大の高さｈｆを吊り下げ具の高さ近傍とすることも可能なため、タブ４の表示面積を大きくすることが可能となり、識別部４１ｄ〜ｆの面積も大きくすることが可能となり視認性を向上させる。上述のように、タブ４は重力に抗して自立することが出来る程度の剛性を有しており、起立部４Ａの最大の高さｈｆが高いために撓んでも、外力が除かれると再び自立する弾性を備えているので、箱１の陳列棒６の横からの出し入れにより視認性が低下することはない。
【００１１】
本発明の箱１を用いれば、タブ４の面積を大きく、また、背を高くしても陳列棒６への懸架が容易に行なえる。特に、箱本体２の天面から吊り下げ具３の鉤状部の下端３Ｂまでの高さｈｔが、タブ４の起立部４Ａの最大の高さｈｆより低い場合（図６参照）であっても、タブ４が懸架の障害にならないので好ましい。タブ４が、箱１の正面から見たときに鉤状部３Ａと重なる場合に、上記の高いｈｆの場合の効果を特に好ましく発揮する。
また、タブ４を起立させる部分の横幅が狭い場合、箱が小さい場合のみならず、意匠性を高めるため前面や背面の幅を小さくした、天面が少なくとも６辺以上を有するとともに、箱の背面部又は正面部の幅が箱の最大幅より狭い場合、具体的には図１〜８に示す実施態様の如く天面が６角形のときであっても、必要充分な大きさのタブ４とすることが出来るので、必要な情報を視認し易いものにすることができて好ましい。
なお、収容物の種類に応じてタブ４の起立部４Ａを背面部２Ｂ又は正面部２Ａの右側のみ又は左側のみとしてもよい。そのときは、吊り下げ具３の鉤状部の下端３Ｂと反対側に設けるタブは必ずしも弾性を有する合成樹脂性のフィルムで構成される必要はなく、紙製等の剛性の高く、復元不可能なものでもよい。
【００１２】
次に、本発明の箱１を用いた陳列方法について説明する。
本発明の陳列方法は、図１に示すように、箱１の天面に設けられた吊り下げ具３を陳列棚に水平に設けられている陳列棒６に架けることにより、複数の箱１を前後方向に重ねて配置する箱１の陳列方法である。上述のように、箱１の天面から上方に突出して設けられたタブ４の収容物を識別する識別部４１が収容物の種類に応じた所定の位置に配置された複数の箱１を配列して、全ての箱１の識別部４１の位置が、前置される単数又は複数の他の箱１を介在して、陳列棒６の前から一覧して視認され得ることを特徴とする。このとき、同一の識別部４１を有する箱１同士をまとめて配列すると、視認性がさらに高まるので好ましい。
【００１３】
本発明の陳列方法をさらに具体的に説明する。図５において、まず、箱１を吊り下げ具３に架ける際、陳列棒６の先端部６Ａを吊り下げ具３の鉤状部３Ａの下に差し込む。即ち、吊り下げ具３を前方から陳列棒６に架ける。箱１が既に複数架けられている陳列棒６の途中に箱１を新たに追加したいとき、例えばサイズＳの製品の箱が前面にＭの製品の箱が奥に架けられているときに、ＳとＭとが混在しないようにＭを途中に追加するには、吊り下げ具３の鉤状部３Ａが陳列棒６の上に位置するように吊り下げ具３の鉤状部の下端３Ｂから、即ち横方向から陳列棒６に吊り下げ具３を架けることになる。このとき、起立部４Ａの最大の高さｈｆが高いと、タブ４が陳列棒６に接触する。タブが必要以上の剛性を有していると、タブが障害となり横方向から入れることが困難となる。特に、図６に示す如く、タブ４が吊り下げ具３の鉤状部の下端３Ｂに完全に重なり、タブ４に陳列棒６が接触しないとタブ４を陳列棒に架けられないようなとき、本発明ではタブ４の材料として、上述の如き合成樹脂製のフィルムを用いているので、陳列棒６が接触したときに陳列棒から加わる力によってその形が変化する。即ち、起立していたタブ４は前方又は後方へ倒れこむ。従って、タブ４によって邪魔されることなく吊り下げ具３の鉤状部３Ａを陳列棒６の上に配置させ、陳列棒６によって箱１を懸架することになる。このとき、タブ４はその弾性によって図５〜７において図示する如く起立状態に復元する。
【００１４】
本発明の箱１においては、通常、手作業でタブ４が貼り付けられる。その際の貼付け誤りを無くすため、図７に示すように、タブ４の裏面にタブ用種類識別マークＭｔが印刷されると共に、箱本体に対応する箱用種類識別マークＭｃが設けられることが好ましい。貼付け後も誤りを発見できるように、タブの箱用種類識別マークＭｃに相当する位置は印刷を施さず透明のままとすることが好ましい。
【００１５】
図８は、本発明の箱１の別の実施態様を示す背面模式図である。図８においては、タブ４の貼付部４Ｂがバージンシールを兼ねている。これにより、バージンシールを貼付しなくて済むので、包装工程の生産性が向上する。このように、タブ４がバージンシールを兼ねる場合は、図８に示す如く、バージンシールにより封止される開口防止具５が箱本体２の最上部に設けられていると、タブ４の合成樹脂フィルム使用量を減らすことができて経済的である。
ここで、バージンシールとは、開封・未開封が一目で確認できるようにするものであり、一回封（バージンシール）を開けたものは新品ではなくなる。
なお、バージンシールは製品の使用時には必ず開封されるので、開封し易いように貼付部４Ｂの中央部下方にバージンシールつまみ部４Ｃを設けることが好ましい。
【００１６】
本発明に係るタブ４に用いられる合成樹脂としては、ポリエチレン樹脂｛低密度ポリエチレン（ＬＤＰＥ）、直鎖状低密度ポリエチレン（ＬＬＤＰＥ）、高密度ポリエチレン（ＨＤＰＥ）等｝、ポリプロピレン樹脂｛無延伸ポリプロピレンフィルム（ＣＰＰ）等｝、ポリエステル樹脂（ポリエチレンテレフタレート等）、ポリアミド樹脂（ナイロン６、ナイロン６６等）等が好適に用いられる。また、フィルムの厚さとしては、好ましくは１０〜１０００μｍ、さらに好ましくは３０〜３００μｍのフィルムが用いられる。
タブ４の貼付部４Ｂには、箱本体２に貼り付けることが出来るように、片面に粘着剤が予め塗られていることが好ましい。
【産業上の利用可能性】
【００１７】
本発明の箱は、各種衣料品や各種日用品の包装用箱として、特に、生理関連商品（生理用ショーツ、生理用ナプキン、タンポン、オリモノ用ライナー等）や尿失禁関連商品（失禁用ショーツ、失禁用パッド等）の包装用箱として、好適に用いられる。
【図面の簡単な説明】
【００１８】
【図１】本発明の箱の一実施態様を示す斜視模式図である。
【図２】本発明の箱の別の実施態様を示す斜視部分図である。
【図３】本発明の箱の別の実施態様を示す斜視部分図である。
【図４】本発明の箱を上から見た平面模式図である。
【図５】本発明の箱の別の実施態様を示す斜視模式図である。
【図６】本発明の箱の別の実施態様を示す正面模式図である。
【図７】本発明の箱の別の実施態様を示す背面模式図である。
【図８】本発明の箱の別の実施態様を示す背面模式図である。
【符号の説明】
【００１９】
１：箱
２：箱本体
２Ａ：正面部
２Ｂ：背面部
２Ｃ：側面部
２Ｄ：穴
３：吊り下げ具
３Ａ：鉤状部
３Ｂ：鉤状部の下端
４：タブ
４Ａ：起立部
４Ｂ：貼付部
４Ｃ：バージンシールつまみ部
４Ｄ：凹部
４１、４１ａ、４１ｂ、４１ｃ、４１ｄ、４１ｅ、４１ｆ：識別部
５：開口防止具
６：陳列棒
６Ａ：先端部
【図１】
2008081145.tif 000003
【図２】
2008081145.tif 000004
【図３】
2008081145.tif 000005
【図４】
2008081145.tif 000006
【図５】
2008081145.tif 000007
【図６】
2008081145.tif 000008
【図７】
2008081145.tif 000009
【図８】
2008081145.tif 000010